(57)【特許請求の範囲】
【請求項１】
筐体内部に装備される発光部と、
発光部からの出力光を拡散する棒状の拡散レンズと、
棒状である前記拡散レンズの先端部側及び周囲を覆い、有色透明であり、前記筐体から外部に露出する外部レンズと、
前記外部レンズに覆われた前記拡散レンズの外周部分と前記外部レンズの内周部分とを係合して、前記拡散レンズに対して前記外部レンズを固定する係合部と、
を備え、
前記係合部は、棒状である前記拡散レンズの外周部分に形成された拡散レンズ側突起部あるいは拡散レンズ側凹部と、この拡散レンズ側突起部あるいは拡散レンズ側凹部に対して嵌合する前記外部レンズの内周部分に形成された外部レンズ側凹部あるいは外部レンズ側突起部と、を備えた、
ことを特徴とする発光構造。
【請求項２】
前記係合部は、前記拡散レンズの外周部分に突出する線状突起と、この線状突起に嵌合する前記外部レンズの内周部分に形成された嵌合溝と、を備えた、
ことを特徴とする請求項１記載の発光構造。
【請求項３】
前記拡散レンズは、乳白色に形成されている、
ことを特徴とする請求項１又は２記載の発光構造。
【請求項４】
前記外部レンズは、前記筐体の色に対応した色に形成されている、
ことを特徴とする請求項１，２又は３記載の発光構造。
【請求項５】
請求項１乃至４のいずれかに記載の発光構造を備えたことを特徴とする電子機器。
【請求項６】
請求項１乃至４のいずれかに記載の発光構造と、通信機能と、を備え、前記発光部は着信報知時に発光する、
ことを特徴とする通信機能付き電子機器。
【発明の詳細な説明】
【技術分野】
【０００１】
本発明は、発光構造にかかり、特に、筐体内部から外部に発光する発光構造に関する。
【背景技術】
【０００２】
近年、様々な電子機器が普及しており、多種にわたる製品が出回っている。それに伴い、ユーザの嗜好性が高まり、それらのデザイン要素が重要視され、デザイン性を向上すべく様々なボディカラーが採用されている。一方で、電子機器の一例である携帯電話には、着信報知用のＬＥＤが装備されており、そのレンズ部分が筐体から外部に露出し、外部に発光するよう構成されている。そして、このＬＥＤレンズは、周囲から発光の視認性を向上させるために拡散剤入りのものが用いられている。このとき、拡散剤は白であるため、着信ＬＥＤレンズ全体が乳白色に形成されている。また、その他の電子機器においても、種々の情報報知用にＬＥＤなどのランプが装備され、そのレンズから外部に発光するよう構成されている。
【０００３】
【特許文献１】特開２０００−４９９０９号公報
【特許文献２】特開２００４−８０３９０号公報
【発明の開示】
【発明が解決しようとする課題】
【０００４】
しかしながら、上述したように、発光の視認性向上のためにＬＥＤレンズを乳白色に形成すると、当該乳白色部分が筐体から露出されるため、ボディカラーによってはデザイン性が低下し、また、種々のボディカラーを採用する際にデザインの自由度が低下する、という問題があった（特許文献１参照）。
【０００５】
また、特許文献２には、ＬＥＤ出力光を平面状に拡散し、この拡散光を所定のパターン形状で外部に発光させるよう半透明や透明なパターン形状が形成されたパネル部材を備えた、という構成が開示されている。しかしながら、上記構成は、小さな報知用ランプを外部に効果的に発光させるために利用するものではなく、筐体の一面全体に発光を拡散させるものであるため、装置構成が大きくなり、特に、装置本体の厚みが増加する、という問題が生じる。
【０００６】
このため、本発明では、発光構造の小型化により機器自体の小型化を図りつつ、発光の視認性の向上、及び、機器のデザイン性の向上を図ることをその目的とする。
【課題を解決するための手段】
【０００７】
そこで、本発明では、筐体内部に装備される発光部と、発光部からの出力光を拡散する拡散レンズと、この拡散レンズの少なくとも一部を覆い、有色透明であり、筐体から外部に露出する外部レンズと、を備えたという構成を採っている。
【発明の効果】
【０００８】
上記構成によると、まず、発光部からの出力光をレンズを用いて出力する構造であるため、発光構造を小型化でき、電子機器自体の小型化を図ることができる。そして、出力光を拡散レンズにて拡散するため、かかる発光のユーザにおける視認性が向上し、さらに、拡散レンズを有色透明な外部レンズにて覆って筐体から露出させているため、筐体の色に対応させて形成することで、デザインを損ねることなく外観のデザイン性の向上を図ることができる。
【発明を実施するための最良の形態】
【０００９】
本発明は、電子機器に装備されるＬＥＤなどの小型な発光ランプに、拡散効果のあるレンズを用いると共に、このレンズにさらに有色透明のレンズを被せることにより、非発光時に筐体から露出しているレンズ部分を筐体と同色または有色に設定する、という構造に特徴を有する。
【００１０】
そこで、本発明の一形態である発光構造は、筐体内部に装備される発光部と、発光部からの出力光を拡散する拡散レンズと、この拡散レンズの少なくとも一部を覆い、有色透明であり、筐体から外部に露出する外部レンズと、を備えた、という構成を採る。
【００１１】
上記構成によると、発光部からの出力光は、拡散レンズにて拡散され、当該拡散レンズを覆う有色透明な外部レンズから、筐体外部に出力される。従って、まず、発光部からレンズを用いて出力する構造であるため、発光構造を小型化でき、電子機器にて各種報知用などに利用することができる。そして、出力光を拡散レンズにて拡散するため、ユーザにおける視認性が向上しうる。さらに、拡散レンズを有色透明な外部レンズにて覆って筐体から露出させているため、筐体の色に対応させて形成することで、デザインを損ねることなく外観のデザイン性の向上を図ることができる。
【００１２】
また、本発明では、外部レンズに覆われた拡散レンズの外周部分と外部レンズの内周部分とを係合して、拡散レンズに対して外部レンズを固定する係合部を備えた、という構成を採る。また、本発明では、係合部は、拡散レンズの外周部分に形成された拡散レンズ側突起部あるいは拡散レンズ側凹部と、この拡散レンズ側突起部あるいは拡散レンズ側凹部に対して嵌合する外部レンズの内周部分に形成された外部レンズ側凹部あるいは外部レンズ側突起部と、を備えた、という構成を採る。特に、本発明では、上記係合部は、拡散レンズの外周部分に突出する線状突起と、この線状突起に嵌合する外部レンズの内周部分に形成された嵌合溝と、を備えた、という構成を採る。
【００１３】
これにより、拡散レンズを覆う外部レンズを、当該拡散レンズに係合して固定することで、上述したように視認性及びデザイン性の向上を図ることができる発光構造の簡素化、及び、レンズ間の係合の安定化を図ることができる。特に、拡散レンズの外周部分と外部レンズの内周部分とを嵌合して固定することで、拡散レンズに対する外部レンズの組み付けが容易となり、また、固定状態が安定すると共に、さらには、部品点数の削減を図ることができる。
【００１４】
ここで、本発明では、上記拡散レンズは、乳白色に形成されている。また、上記外部レンズは、筐体の色に対応した色に形成されている、という構成を採る。
【００１５】
そして、上記発光構造は、例えば、携帯電話やＰＤＡなどの電子機器に搭載され、特に、通信機能を有する携帯電話に搭載され、着信報知時に発光部から報知するよう作動してもよい。
【００１６】
以下、本発明における発光構造について実施例にて説明する。なお、実施例では、携帯電話の側面に装備された着信を報知するよう発光する発光構造について説明するが、本発明における発光構造は、いかなる電子機器のいかなる場所に装備されるものであってもよく、発光がいかなる用途に利用されるものであってもよい。また、本発明における発光構造の形状等は、実施例にて例示するものに限定されない。
【実施例１】
【００１７】
本発明の第１の実施例を、図１乃至図６を参照して説明する。図１乃至図２は、携帯電話に装備された発光構造を示す図であり、図３乃至図４は、発光構造を構成する部品の構成を示す図である。図５は、発光構造の組み付け時の様子を示す図である。図６は、発光時の様子を示す図である。
【００１８】
［構成］
図１（ａ）は、携帯電話１０本体の一部を示している。この図に示すように、複数のケース部品が組み付けられて構成される筐体３の側面部分には、発光構造の一部である外側レンズ５が露出しており、着信時に点灯する。この外側レンズ５を含む発光構造について詳述する。
【００１９】
図１（ｂ）に、図１（ａ）のＡ−Ａ線断面図を示し、図２に図１（ａ）のＢ−Ｂ線断面図を示す。この図に示すように、携帯電話１０の内部には、プリント配線基板１が装備されており、この基板上に、発光部となるＬＥＤ２を搭載している。そして、このＬＥＤ２からの出力光を導光して出力する内側レンズ４（拡散レンズ）を備えている。この内側レンズ４は、後述するように、ＬＥＤ２設置側に位置する導光部４１（図１の右端部側）から筐体外部側に位置する拡散レンズ部４２（図の左端部側）に導光して、当該拡散レンズ部４２から拡散出力する（図３参照）。さらに、この内側レンズ４の拡散レンズ部４２を覆い、筐体３外部に露出する外側レンズ５（外部レンズ）を備えている。上記ＬＥＤ２と、内側レンズ４と、外側レンズ５とにより、発光構造が構成されている。ここで、内側レンズ４及び外側レンズの構成をさらに詳述する。
【００２０】
内側レンズ４の拡散レンズ部４２は、図３（ａ）に示すように、所定の長さを有する略棒状に形成されており、乳白色の半透明に形成されている。これにより、導光部４１から導光してきたＬＥＤ２からの出力光が、拡散レンズ部４２から拡散されて出力される。また、内側レンズ４の拡散レンズ部４２の根元付近、つまり、略棒状の拡散レンズ部４２の先端部（図３（ａ）の左側端部）とは反対側であり導光部４１との連結部分側の外面には、当該外面から突出する線状突起４３が形成されている。なお、図３（ｂ）は、図３（ａ）を下方から見た図であるが、具体的に線状突起４３は、拡散レンズ部４２の長手方向に対して垂直方向に延びて形成されている。そして、線状突起４３は、図３（ａ）に示すように、拡散レンズ部４２の両側面に一対形成されている。
【００２１】
また、図４に、外側レンズ５を示す。図４（ａ）は、外側レンズ５の正面図であり、その背面図を図４（ｂ）に示す。また、図４（ａ）を下方から見た図を図４（ｃ）に示し、さらに図４（ｃ）を右方向から見た図を図４（ｄ）に示す。これらの図に示すように、外側レンズ５は、上述した内側レンズ４の拡散レンズ部４２の先端部側及び周囲の３方向（３面）を覆うよう形成されており、換言すると、外側レンズ５は、一端が塞がれたトンネル形状に形成されている。また、その内面には、上記拡散レンズ部４２に形成された線状突起４３に対応する形状の嵌合溝５１が２本形成されている。この嵌合溝５１には、後述するように拡散レンズ部４２の線状突起４３が嵌合可能であり、拡散レンズ部４２に外側レンズ５を固定して装着することができる。また、この外側レンズ５は、筐体３の色と同系色な有色透明にて形成されている。
【００２２】
［動作］
次に、上述した発光構造の組み付け、及び、発光動作について説明する。まず、内側レンズ４の拡散レンズ部４２に、外側レンズ５を固定装着する。このとき、図５の矢印に示すように、外側レンズ５の内面に形成された嵌合溝５１と拡散レンズ部４２に形成された線状突起４３との位置を合わせ、これらが嵌め合うようスライド移動させて、拡散レンズ部４２の周囲を覆うよう外側レンズ５を装着する。これにより、内側レンズ４の先端側から外側レンズ５が抜き出ることを防止でき、固定状態が安定する。
【００２３】
その後、上述したように、外側レンズ５を装着した内側レンズ４をプリント配線基板１上に配置する。このとき、同じくプリント配線基板１上にＬＥＤ２を配置し、このＬＥＤ２からの出力光が内側レンズ４の導光部４１に照射されるよう配置する。なお、内側レンズ４とＬＥＤ２の配置順序は任意である。そして、他の部品を装備し、筐体３を組み付けることにより、図１（ａ）に示すように、外側レンズ５が筐体３に囲まれて固定された状態になり、当該外側レンズ５の固定状態がより安定しうる。
【００２４】
続いて、上述したように発光構造が装備された携帯電話１０の使用状態について説明する。まず、待ち受け時には、筐体３から露出している外側レンズ５が筐体３と同系色の有色透明に形成されているため、筐体３に対して外側レンズ５が目立つことなく、外観を損ねることを抑制することができ、デザイン性が向上しうる。そして、携帯電話１０が着信状態になると、ＬＥＤ２が発光し、出力光が内側レンズ４の導光部４１を伝達し（矢印Ｙ１参照）、拡散レンズ部４２から拡散されて外側レンズ５を介して外部に出力される（矢印Ｙ２参照）。このように出力光が小さいレンズから拡散されて出力されることで、ユーザの視認性が向上し、利便性の向上が向上しうる。
【００２５】
なお、拡散レンズ部４２と外側レンズ５との係合方法は上述した方法に限定されない。つまり、上記では、拡散レンズ部４２に線状突起４３を設け、これに嵌合する嵌合溝５１を外側レンズ５を設けるという構成にしたが、他の構造（係合部）にて拡散レンズ部４２と外側レンズ５とを固定してもよい。例えば、拡散レンズ４２の外周部分に、任意の形状の拡散レンズ側突起部あるいは拡散レンズ側凹部を設けると共に、この拡散レンズ側突起部あるいは拡散レンズ側凹部に対応して嵌合する形状の外部レンズ側凹部あるいは外部レンズ側突起部を外側レンズの内周部分に設けてもよい。さらには、接着剤や他の構成部材を設けて、拡散レンズ部４２に外側レンズ５を固定装備してもよい。
【００２６】
また、上記では、外側レンズ５が拡散レンズ部４２の一部を覆うよう構成したが、拡散レンズ部４２の全体を覆うよう、外側レンズ５を形成してもよい。また、上記では、外側レンズ５の色を筐体３と同系色にする場合を例示したが、これは筐体３に外側レンズ５を同化させて目立たなくさせるためであるが、デザイン性を向上させるためであれば、外側レンズ５をいかなる色で形成してもよい。また、外側レンズ５は透明に形成すると説明したが、その透明度は任意である。
【産業上の利用可能性】
【００２７】
本発明の発光装置は、携帯電話やＰＤＡなど、あらゆる電子機器に搭載することができ、産業上の利用可能性を有する。
【図面の簡単な説明】
【００２８】
【図１】図１（ａ）は、携帯電話の外観を示す図であり、図１（ｂ）は、図１（ａ）のＡ−Ａ線断面図である。
【図２】図１（ｂ）のＢ−Ｂ線断面図である。
【図３】図１に開示した内側レンズの構成を示す図である。
【図４】図１に開示した外側レンズの構成を示す図である。
【図５】内側レンズに外側レンズを装備するときの様子を示す図である。
【図６】発光時の様子を示す図である。
【符号の説明】
【００２９】
１  プリント帆船基板
２  ＬＥＤ
３  筐体
４  内側レンズ
５  外側レンズ
１０  携帯電話
４１  導光部
４２  拡散レンズ部
４３  線状突起
５１  嵌合溝
【図１】
0005109521.tif 000002
【図２】
0005109521.tif 000003
【図３】
0005109521.tif 000004
【図４】
0005109521.tif 000005
【図５】
0005109521.tif 000006
【図６】
0005109521.tif 000007